(57)【要約】      （修正有）【課題】建材と横材及び周りの部材と干渉することなく縦支柱の取付部材を取付出来る手摺と、枠組足場を提供する。【解決手段】一対の縦支柱２、３と、各縦支柱の上端間に回転自在に架設した横支柱と、各縦支柱の下部に設けた取付部材と、横支柱に挿入した命綱取付け用のガイドとを備え、足場板の片側又は両側に長手方向に起立する手摺において、各縦支柱は本体５と、本体上端部の支持板と、支持板を前後方向に取付けた左右一対の支持ロッド９と、支持ロッドに上下方向に穿設した係止孔とで構成させ、横支柱を支持ロッドの長さと同じ外径の本体７と、本体の左右両端の支持片と、ピン挿入孔とで構成させ、支持板に上下移動自在な左右一対の止めピン１３を備えたロック機構Ｒを取付け、横支柱の支持片をピン挿入孔を介して支持ロッドの一方に回転自在に挿入し、止めピンを係止孔の一方に着脱自在に差込んでいる。【選択図】図２
2008019606.tif 000002
【特許請求の範囲】
【請求項１】
左右一対の縦支柱２、３と、各縦支柱２、３の上端間に回転自在に架設した横支柱４と、上記各縦支柱２，３の下部に設けた取付部材２１，２１と、上記横支柱にスライド自在に挿入した命綱取付け用のガイドＧとを備え、足場板の片側又は両側に一つ又は複数長手方に沿って起立する手摺において、上記各縦支柱２、３は本体５と、この本体５の上端部を潰して成形した扁平な支持板６と、この支持板６を前後方向に向けて取付けた左右一対の支持ロッド９、９と、この支持ロッド９、９に上下方向に向けて穿設した係止孔１０、１０とで構成させ、上記横支柱４を上記支持ロッド９の長さと同じ外径の本体７と、本体７の左右両端を潰して成形した扁平な支持片８と、この支持片８に形成したピン挿入孔１１とで構成させ、上記支持板６に上下移動自在な左右一対の止めピン１３，１３を備えたロック機構Ｒを取付け、上記横支柱４の支持片８をピン挿入孔１１を介して上記支持ロッド９の一方に回転自在に挿入し、上記止めピン１３を上記係止孔１０の一方に着脱自在に差込んでいる手摺。
【請求項２】
ロック機構Ｒが支持片８の外面に結合した筒体１４と、筒体１４内に上下移動自在に挿入した操作ロッド１６と、操作ロッド１６の上部に二又状の屈曲部１８を介して連設した左右一対の止めピン１３，１３と、操作ロッド１６の下部に設けた牽引用リング１７と、操作ロッド１６の外周に設けたスプリングシート１９と、上記筒体１４の底辺１４aとの間に介在されて上記操作ロッド１６を上方に附勢しているスプリング１５とで構成されている請求項１の手摺。
【請求項３】
取付部材２１が縦支柱２，３に結合した水平なブラケット２２と、ブラケット２２の端部に設けた平面Ｕ字状又は半円状の抱持筒２３と、抱持筒２３の胴部に形成した横方向に開口する第１の溝２５と、抱持筒２３の下端に形成した第２の溝２６と、同じく抱持筒２３の上端に形成した第３の溝２７Ａと、上記ブラケット２２に上下移動自在に挿入されて上記第３の溝に着脱自在に係合するロックピン２７とからなる請求項１又は２の手摺。
【請求項４】
命綱取付用のガイドが筒状本体３１と、筒状本体３１の両端に形成したラッパ型の案内部３２，３３と、筒状本体３１の下部に長手方に沿って形成した隙間３４と、筒状本体３１の上壁と内壁にそれぞれ設けた上部ガイドローラ３６と前後一対のガイドローラ３７，３８と、筒状本体３１の上部に取付けた命綱取付用ブラケット３５とで構成され、筒状本体３１を上記三つのガイドローラ３６，３７，３８を介して横支柱４の本体７と支持ロッド９とを跨いでスライドさせる請求項１、２,又は３の手摺。
【請求項５】
前後一対の建材２８、２８と建材２８、２８に架設した横材２９とからなる建枠Ａを横方向に複数列設し、隣接する建枠Ａ、Ａ間にそれぞれ長手方向に沿って足場板２０を連続して架設し、各足場板２０の片側又は両側に長手方向に沿って複数の手摺１を起立させている枠組足場において、上記手摺１を左右一対の縦支柱２、３と、各縦支柱２、３の上端間に両端を枢着しながら架設した横支柱４と、上記各縦支柱２，３の下部に設けた取付部材２１，２１と、上記横支柱にスライド自在に挿入した命綱取付け用のガイドＧとで構成させ、更に、上記各縦支柱２、３を本体５と、この本体５の上端部を潰して成形した扁平な支持板６と、この支持板６に前後方向に向けて取付けた左右一対の支持ロッド９、９と、この支持ロッド９、９に上下方向に向けて穿設した係止孔１０、１０とで構成させ、上記横支柱４を上記支持ロッド９の長さと同じ外径の本体７と、本体７の左右両端を潰して成形した扁平な支持片８と、この支持片８に形成したピン挿入孔１１とで構成させ、上記各支持板６に上下移動自在な左右一対の止めピン１３、１３を備えたロック機構Ｒをそれぞれ取付け、上記各縦支柱２、３を取付部材２１を介して建材２８に結合し、横方向に隣接する各横支柱４の支持片８をピン挿入孔１１を介してそれぞれ上記支持ロッド９の一方に回転自在に挿入し、又上記止めピン１３を上記一方の支持ロッド９における係止孔１０にそれぞれ着脱自在に差込み、隣同士の各支持片８，８を同一軸線上に沿って結合させることによりこの各支持片８、８に沿ってガイドＧをスライドさせることを特徴とする枠組足場。
【発明の詳細な説明】
【技術分野】
【０００１】
本発明は、手摺及びこの手摺を使用しながら建築・土木工事現場に設置される枠組足場に関し、特に、枠組足場を縦横に多段に組付ける際に、順次上方に盛替えて足場の組立を安全に行うのに使用する先行手摺に適する手摺に関する。
【背景技術】
【０００２】
一般に、建築・土木工事現場では、作業位置に対応して通路や足場板を設置し、この通路の両サイドに相対向する一対の支柱と、この支柱間に親綱を架設し、この親綱に命綱の端部を結合したり、スライド自在に取り付けて作業者の安全を図っている。即ち、作業者の身体に巻き付けた命綱を親綱に接続することにより足場の通路を作業者が歩行したり、作業をしている最中に足場から踏み外して下方に落下してもこの命綱で作業者が地上まで落下するのを防止している。
【０００３】
他方、建築・土木工事の現場では枠組足場が設置される場合が多く、この枠組足場を縦横に組付ける場合は、あらかじめ下段の足場板上で先行手摺を上方に設置し、この先行手摺を利用して安全を図りながら更に上方に建枠や足場板を組付ける作業を行っている。即ち、枠組足場を上方に順次組付ける際に常に先行して先行手摺を盛替えて行っている。
【０００４】
一般に、通路の両サイドに親綱を設けるのは普通、この通路の両サイドに手摺が設置されていない場合が多く、この為、手摺が設置されていないと、どうしても作業中に高所の通路から作業者が足を踏み外して通路下方に落下する危険がある。この際命綱で作業者を支えているため、地上まで落下したり、通路下方の障害物に衝突したりすることはある程度防止される。
【０００５】
しかしながら、上記従来の親綱は、ロープであるから、作業者が落下したときこのロープが撓んだり、伸びたりするため、若干の緩衝効果は期待できるが、ロープが撓んだり、伸びた分の距離だけ作業者は下方に落下することになり、落下高さに応じて作業者に対する荷重が大きくなる。この荷重が大きくなるとその分命綱で作業者の身体に対する締付力も大きくなり、危険である。
【０００６】
他方、先行手摺を配置した上記従来の枠組足場では、この先行手摺を利用して作業者の安全が図られているが、それでもなお足場板を踏み外した作業者が手摺の隙間等から下方に落下する危険があり、その改善が望まれている。
【０００７】
そこで、例えば、特許文献１に示すように、作業通路や足場板から作業者が落下しても作業者に大きな荷重がかからないようにした親綱を兼ねた先行手摺が開発されている。
【特許文献１】特開２００５−２０７２２５号公報（要約、図２参照）
【発明の開示】
【発明が解決しようとする課題】
【０００８】
上記の先行手摺は、左右一対の建枠と、各建枠間に架設した足場板とからなる枠組足場を下方から上方に向けて順次組付ける際に順次上方に盛替えながら建枠に設置する先行手摺であって左右一対の縦支柱と、各縦支柱の上端部に回転自在に架設した横支柱と、各縦支柱に設けられて当該縦支柱の下部を建枠に着脱自在に結合する取付部材とを備え、上記横支柱を親綱用の支柱として利用しながら当該横支柱に命綱を結合したガイドをスライド自在に挿入したものである。
【０００９】
そして、一つの縦支柱の両サイドにブラケットを結合し、この各ブラケットに対して隣同士の横支柱をそれぞれピンを介して回転自在に軸支させ、この状態でガイドを各横支柱の端部を跨いでスライド出来るようにしている。
【００１０】
上記の先行手摺は、機能上や安全面においては特に欠陥は無いが、隣同士の横支柱の端部間に隙間が有り、両者が一体に結合されておらず、その結果二つの横支柱の軸線がずれて、スムースにガイドがスライド出来ない場合が生じ、その都度作業者がガイドの移動を調節する必要がある。
【００１１】
更に、上記従来の縦支柱の取付部材は建枠の建材と横材を利用して結合するようにしたものである。
【００１２】
この為、工事現場においてはこの建材と横材との周りにはいろいろな部材が存在し、この部材が取付部材の取り付け作業の邪魔になって取り付け作業が面倒で、状況によっては取り付けられない場合も生じる。
【００１３】
そこで、本発明の目的は、単独でも使用できるばかりでなく、横方向に複数取付けた場合でもガイドをスムースにスライドさせることが出来、又建枠に取付ける場合でも建材と横材及びこれらの周りの部材と干渉することなく縦支柱の取付部材を取付出来る手摺と、この手摺を利用した枠組足場を提供することである。
【課題を解決するための手段】
【００１４】
上記の目的を達成するため、本発明の手摺の手段は、左右一対の縦支柱２、３と、各縦支柱２、３の上端間に回転自在に架設した横支柱４と、上記各縦支柱２，３の下部に設けた取付部材２１，２１と、上記横支柱にスライド自在に挿入した命綱取付け用のガイドＧとを備え、足場板の片側又は両側に一つ又は複数長手方に沿って起立する手摺において、上記各縦支柱２、３は本体５と、この本体５の上端部を潰して成形した扁平な支持板６と、この支持板６を前後方向に向けて取付けた左右一対の支持ロッド９、９と、この支持ロッド９、９に上下方向に向けて穿設した係止孔１０、１０とで構成させ、上記横支柱４を上記支持ロッド９の長さと同じ外径の本体７と、本体７の左右両端を潰して成形した扁平な支持片８と、この支持片８に形成したピン挿入孔１１とで構成させ、上記支持板６に上下移動自在な左右一対の止めピン１３，１３を備えたロック機構Ｒを取付け、上記横支柱４の支持片８をピン挿入孔１１を介して上記支持ロッド９の一方に回転自在に挿入し、上記止めピン１３を上記係止孔１０の一方に着脱自在に差込んでいることを特徴とするものである。
【００１５】
この場合、ロック機構Ｒが支持片８の外面に結合した筒体１４と、筒体１４内に上下移動自在に挿入した操作ロッド１６と、操作ロッド１６の上部に二又状の屈曲部１８を介して連設した左右一対の止めピン１３，１３と、操作ロッド１６の下部に設けた牽引用リング１７と、操作ロッド１６の外周に設けたスプリングシート１９と、上記筒体１４の底辺１４aとの間に介在されて上記操作ロッド１６を上方に附勢しているスプリング１５とで構成されているのが好ましい。
【００１６】
同じく、取付部材２１が縦支柱２，３に結合した水平なブラケット２２と、ブラケット２２の端部に設けた平面Ｕ字状又は半円状の抱持筒２３と、抱持筒２３の胴部に形成した横方向に開口する第１の溝２５と、抱持筒２３の下端に形成した第２の溝２６と、同じく抱持筒２３の上端に形成した第３の溝２７Ａと、上記ブラケット２２に上下移動自在に挿入されて上記第３の溝に着脱自在に係合するロックピン２７とからなるのが好ましい。
【００１７】
同じく、命綱取付用のガイドが筒状本体３１と、筒状本体３１の両端に形成したラッパ型の案内部３２，３３と、筒状本体３１の下部に長手方に沿って形成した隙間３４と、筒状本体３１の上壁と内壁にそれぞれ設けた上部ガイドローラ３６と前後一対のガイドローラ３７，３８と、筒状本体３１の上部に取付けた命綱取付用ブラケット３５とで構成され、筒状本体３１を上記三つのガイドローラ３６，３７，３８を介して横支柱４の本体７と支持ロッド９とを跨いでスライドさせるのが好ましい。
【００１８】
同じく、本発明の枠組足場の手段は、前後一対の建材２８、２８と建材２８、２８に架設した横材２９とからなる建枠Ａを横方向に複数列設し、隣接する建枠Ａ、Ａ間にそれぞれ長手方向に沿って足場板２０を連続して架設し、各足場板２０の片側又は両側に長手方向に沿って複数の手摺１を起立させている枠組足場において、上記手摺１を左右一対の縦支柱２、３と、各縦支柱２、３の上端間に両端を枢着しながら架設した横支柱４と、上記各縦支柱２，３の下部に設けた取付部材２１，２１と、上記横支柱にスライド自在に挿入した命綱取付け用のガイドＧとで構成させ、更に、上記各縦支柱２、３を本体５と、この本体５の上端部を潰して成形した扁平な支持板６と、この支持板６に前後方向に向けて取付けた左右一対の支持ロッド９、９と、この支持ロッド９、９に上下方向に向けて穿設した係止孔１０、１０とで構成させ、上記横支柱４を上記支持ロッド９の長さと同じ外径の本体７と、本体７の左右両端を潰して成形した扁平な支持片８と、この支持片８に形成したピン挿入孔１１とで構成させ、上記各支持板６に上下移動自在な左右一対の止めピン１３、１３を備えたロック機構Ｒをそれぞれ取付け、上記各縦支柱２、３を取付部材２１を介して建材２８に結合し、横方向に隣接する各横支柱４の支持片８をピン挿入孔１１を介してそれぞれ上記支持ロッド９の一方に回転自在に挿入し、又上記止めピン１３を上記一方の支持ロッド９における係止孔１０にそれぞれ着脱自在に差込み、隣同士の各支持片８，８を同一軸線上に沿って結合させることによりこの各支持片８、８に沿ってガイドＧをスライドさせることを特徴とするものである。
【発明の効果】
【００１９】
各請求項の発明によれば、各縦支柱２、３は本体５の上端部を潰して扁平
な支持板６に成形し、横支柱４の本体７の外径を支持ロッド９の長さと同じにし、又本体７の左右両端を潰して扁平な支持片８に成形し、支持片８をピン挿入孔１１を介して支持ロッド９に回転自在に挿入しているので横方向に手摺を連続して起立した時でも隣同士の横支柱４の支持片８、８が同一軸線上に沿って隙間無く一体に結合され、支持ロッド９の長さも横支柱４の本体７の外径と同じでしかも支持ロッド９に挿入した支持片８の厚みは支持ロッド９の長さ内に収まっているので、命綱取付用のガイドＧが横支柱４の本体７、７間を支持ロッド９と支持片８と跨ってスムースにスライドしながら移動できる。
【００２０】
請求項５の発明によれば、ブラケット２２が水平で、抱持筒２３が平面Ｕ
字状又は半円状であるから、取付部材２１を、例えば、建枠Ａの建材２８の左右横方向から当該建材２８に対して着脱自在に取付けられ、横材２９周りの他の部材と干渉することなく取り付けられ、従って、縦支柱２，３の着脱作業が向上する。
【発明を実施するための最良の形態】
【００２１】
以下、本発明の実施の形態を図に基づいて説明するが、図１乃至図６は、本発明の一実施の形態に係る単一の手摺と、これを使用した枠組足場を示す。
【００２２】
枠組足場Ｂは、図１（Ａ）（Ｂ）に示すように、従来公知のものであり、これは、前後一対の建材２８、２８と建材２８、２８に架設した横材２９とからなる建枠Ａを横方向に複数列設し、隣接する建枠Ａ、Ａ間にそれぞれ長手方向に沿って足場板２０を連続して架設し、各足場板２０の片側又は両側に長手方向に沿って複数の手摺１を起立させているものである。
【００２３】
手摺１は、単独でも使用でき、上記のように枠組足場において複数連続して取り付けても良い。
【００２４】
又、この手摺１は、枠組足場Ｂに据え置く据え置き式の手摺、又は枠組足場Ｂの組付け時に使用する盛り替え式の先行手摺としても使用できる。
【００２５】
この手摺１は、左右一対の縦支柱２、３と、各縦支柱２、３の上端間に両端を枢着しながら架設した横支柱４と、上記各縦支柱２，３の下部に設けた取付部材２１，２１と、上記横支柱にスライド自在に挿入した命綱取付け用のガイドＧとで構成されている。
【００２６】
上記各縦支柱２、３は、図２,図３に示すように、筒状の本体５と、この本体５の上端部を潰して成形した扁平な支持板６と、この支持板６に前後方向に向けて取付けた左右一対の支持ロッド９、９と、この支持ロッド９、９に上下方向に向けて穿設した係止孔１０、１０とで構成されている。
【００２７】
上記横支柱４は、アウターチューブとこのアウターチューブ内にスライド自在に挿入した筒体からなり、これは上記支持ロッド９の長さと同じ外径の筒状本体７と、本体７の左右両端を潰して成形した扁平な支持片８と、この支持片８に形成したピン挿入孔１１とで構成されている。
【００２８】
上記各支持板６に上下移動自在な左右一対の止めピン１３、１３を備えたロック機構Ｒをそれぞれ取付け、上記各縦支柱２、３を取付部材２１を介して建材２８に結合している。
【００２９】
又、横方向に隣接する各横支柱４の支持片８をピン挿入孔１１を介してそれぞれ上記支持ロッド９の一方に回転自在に挿入している。
【００３０】
又、上記止めピン１３を上記一方の支持ロッド９における係止孔１０にそれぞれ着脱自在に差込み、隣同士の各支持片８，８を同一軸線上に沿って結合させてこの各支持片８、８に沿ってガイドＧをスライド自在に移動出来るようにしている。
【００３１】
上記ロック機構Ｒは、図２乃至図４に示すように、支持片８の外面に結合した筒体１４と、筒体１４内に上下移動自在に挿入した操作ロッド１６と、操作ロッド１６の上部に二又状の屈曲部１８を介して連設した左右一対の止めピン１３，１３と、操作ロッド１６の下部に設けた牽引用リング１７と、操作ロッド１６の外周に設けたスプリングシート１９と、上記筒体１４の底辺１４aとの間に介在されて上記操作ロッド１６を上方に附勢しているスプリング１５とで構成されている。
【００３２】
更に、上記取付部材２１は、縦支柱２，３に結合した水平なブラケット２２と、ブラケット２２の端部に設けた平面Ｕ字状又は半円状の抱持筒２３と、抱持筒２３の胴部に形成した横方向に開口する第１の溝２５と、抱持筒２３の下端に形成した第２の溝２６と、同じく抱持筒２３の上端に形成した第３の溝２７Ａと、上記ブラケット２２に上下移動自在に挿入されて上記第３の溝に着脱自在に係合するロックピン２７とで構成されている。
【００３３】
上記命綱取付用のガイドは、図６（Ａ）（Ｂ）（Ｃ）に示すように、筒状本体３１と、筒状本体３１の両端に形成したラッパ型の案内部３２，３３と、筒状本体３１の下部に長手方に沿って形成した隙間３４と、筒状本体３１の上壁と内壁にそれぞれ設けた上部ガイドローラ３６及び前後一対のガイドローラ３７，３８と、筒状本体３１の上部に取付けた命綱取付用ブラケット３５とで構成されている。
【００３４】
これにより、筒状本体３１を上記三つのガイドローラ３６，３７，３８を介して横支柱４の本体７と支持ロッド９とを跨いでスライドさせるようになっている。
【００３５】
次ぎに、枠組足場Ｂに手摺を取り付ける行程について説明するが、図１に示すように、先ず左側の縦支柱２の上端に支持ロッド９を介して横支柱４の左側支持片８を差し込み、更にロック機構Ｒにおける止めピン１３を当該支持ロッド９の係止孔１０に差し込んでおく。
【００３６】
この状態で、地上又は下段側の足場板上で作業者が左側の縦支柱２を取付部材２１を介して左側の建材２８に結合する。
【００３７】
この場合、図５に示すように、抱持筒２３を左側の建材２８に左側から当て込み上方のグラビティロックピン３０を第１の溝２５に引っ掛け、次いで抱持筒２３を若干下降させて第２溝を２６を下方のグラビティロックピン３０に係合させる。
【００３８】
更に、この状態でややＬ字状のロックピン２７を下降させて第３の溝２７Ａに嵌合させる。
【００３９】
抱持筒２３が各グラビティロックピン３０、３０で担持され、又建材２８を抱持筒２３とロックピン２７とで挟持し、結果的に左側の縦支柱２が左側の建材にしっかりと固定される。
【００４０】
更に、上記の状態で、図１に示すように右側の縦支柱３の上端にこれを押し上げながら上記と同じ方法で右側の横支柱４と、これに隣接する隣の左側横支柱４とを結合し、次いで、上記同じように右側の縦支柱３を取付部材２１を介して右側の他材２８に結合する。
【００４１】
この取付けた状態の手摺１では、図４に示すように、左右一対の支持片８，８は同一軸線上に沿って隙間無く結合されており、しかも支持板６と支持片８との合計の肉厚は支持ロッド９の長さ範囲に収容されており、しかもこの支持ロッド９の長さは横支柱４の外径と同じであるから、横支柱４の本体に挿入したガイドＧは支持ロッド９や支持片８の外端に接触することなくこの部位をスムースに跨いで通過できる。
【００４２】
この際、ガイドＧは、図６に示すように、支持板６と屈曲部１８を隙間３４が通過し、三つのガイドローラ３６，３７，３８が横支柱４の本体７外面、支持ロッド９の外面に沿って通過し、各ガイドローらラ３６，３７，３８が協働してガイドＧの横ブレ、縦ブレを防止する。
【００４３】
上記のように組みつけられた手摺１は、そのまま据え置き手摺として残しておいても良く、あるいは上方に上記の方法で上段側に盛り替えて使用する先行手摺として使用しても良い。
【図面の簡単な説明】
【００４４】
【図１】本発明に係る手摺とこれを取付けた枠組足場の正面図である。
【図２】縦支柱の上端部の拡大正面図である。
【図３】図２の右側図面である。
【図４】図２の平面図である。
【図５】（Ａ）（Ｂ）（Ｃ）は取付部材の平面図、正面図、側面図である。
【図６】（Ａ）（Ｂ）（Ｃ）はガイドの平面図、底面図、側面図である。
【符号の説明】
【００４５】
１  手摺
２，３  縦支柱
４  横支柱
５，７  本体
６  支持板
８  支持片
９  支持ロッド
１０  係止孔
１１  ピン挿入孔
１３  止めピン
２０  足場板
２１  取付部材
２８  建材
２９  横材
Ａ  建枠
Ｒ  ロック機構
Ｇ  ガイド
【図１】
2008019606.tif 000003
【図２】
2008019606.tif 000004
【図３】
2008019606.tif 000005
【図４】
2008019606.tif 000006
【図５】
2008019606.tif 000007
【図６】
2008019606.tif 000008